(57)【特許請求の範囲】
【請求項１】
外部機器に接続するためのケーブルのプラグを接続するレセプタクルを備え、
上記レセプタクルは、所定の厚みの平板の面上にプラグの挿入方向に延びた第１の幅の第１の電源端子と、上記平板の端面に上記プラグの挿入方向に延びた上記第１の幅よりも大きな幅の上記第１の電源端子より電流容量の大きな第２の電源端子を有し、
上記第２の電源端子は、上記端面と共に、該端面に連続する２つの平板面の一部を覆うように形成されている
電子機器。
【請求項２】
上記レセプタクルの上記第２の電源端子を通じて上記外部機器から電源を受領する電源受領部をさらに備える
請求項１に記載の電子機器。
【請求項３】
上記外部機器の電源供給能力の有無を判別する能力判別部と、
上記能力判別部で電源供給能力があると判別されるとき、上記外部機器に電源供給を要求する電源供給要求部をさらに備え、
上記電源受領部は、
上記電源供給要求部からの電源供給要求に応じて上記外部機器から供給される電源を上記レセプタクルの上記第２の電源端子を通じて受領する
請求項２に記載の電子機器。
【請求項４】
上記レセプタクルの上記第２の電源端子を通じて上記外部機器に電源を供給する電源供給部をさらに備える
請求項１に記載の電子機器。
【請求項５】
上記外部機器からの電源供給要求があるとき、上記外部機器への電源供給が可能か否かを判別する可否判別部をさらに備え、
上記電源供給部は、
上記可否判別部で電源供給が可能であると判別されるとき、上記レセプタクルの上記第２の電源端子を通じて上記外部機器に電源を供給する
請求項４に記載の電子機器。
【請求項６】
上記可否判別部は、
上記レセプタクルの上記第２の電源端子に電源を供給した状態で流れる電流値に基づいて、上記外部機器への電源供給が可能か否かを判別する
請求項５に記載の電子機器。
【請求項７】
上記レセプタクルは、
上記平板の上記第２の電源端子を有する端面とは逆の端面に上記プラグの挿入方向に延びた上記第１の幅よりも大きな幅も持つ接地端子をさらに有する
請求項１に記載の電子機器。
【請求項８】
上記第２の電源端子は、少なくとも、上記端面と直交する方向の厚みが上記プラグの挿入方向に沿って順次厚くなるように形成されている
請求項１に記載の電子機器。
【請求項９】
上記外部機器に上記レセプタクルを通じてコンテンツを送信する送信部をさらに備える
請求項１に記載の電子機器。
【請求項１０】
上記送信部は、
上記外部機器に、上記コンテンツを、差動信号により、上記レセプタクルを通じて送信する
請求項９に記載の電子機器。
【請求項１１】
上記送信部は、ＨＤＭＩ送信部である
請求項１０に記載の電子機器。
【請求項１２】
上記外部機器から上記レセプタクルを通じてコンテンツを受信する受信部をさらに備える
請求項１に記載の電子機器。
【請求項１３】
上記受信部は、
上記外部機器から、上記コンテンツを、差動信号により、上記レセプタクルを通じて受信する
請求項１２に記載の電子機器。
【請求項１４】
上記受信部は、ＨＤＭＩ受信部である
請求項１３に記載の電子機器。
【請求項１５】
外部機器に接続するためのケーブルのプラグを接続するレセプタクルを備え、
上記レセプタクルは、所定の厚みの平板の面上にプラグの挿入方向に延びた第１の幅の第１の電源端子と、上記平板の端面に上記プラグの挿入方向に延びた上記第１の幅よりも大きな幅の上記第１の電源端子より電流容量の大きな第２の電源端子を有し、
上記第２の電源端子は、上記端面と共に、該端面に連続する２つの平板面の一部を覆うように形成されている電子機器における電源受領方法であって、
上記外部機器の電源供給能力の有無を判別する能力判別ステップと、
上記能力判別ステップで電源供給能力があると判別されるとき、上記外部機器に電源供給を要求する電源供給要求ステップと、
上記電源供給要求ステップによる電源供給要求に応じて上記外部機器から供給される電源を上記レセプタクルの上記第２の電源端子を通じて受領する電源受領ステップを有する
電子機器における電源受領方法。
【請求項１６】
外部機器に接続するためのケーブルのプラグを接続するレセプタクルを備え、
上記レセプタクルは、所定の厚みの平板の面上にプラグの挿入方向に延びた第１の幅の第１の電源端子と、上記平板の端面に上記プラグの挿入方向に延びた上記第１の幅よりも大きな幅の上記第１の電源端子より電流容量の大きな第２の電源端子を有し、
上記第２の電源端子は、上記端面と共に、該端面に連続する２つの平板面の一部を覆うように形成されている電子機器における電源供給方法であって、
上記外部機器から電源供給要求を受信する電源供給要求受信ステップと、
上記電源供給要求受信ステップで電源供給要求が受信されるとき、上記外部機器への電源供給が可能か否かを判別する可否判別ステップと、
上記可否判別ステップで電源供給が可能であると判別されるとき、上記レセプタクルの上記第２の電源端子を通じて上記外部機器に電源を供給する電源供給ステップを有する
電子機器における電源供給方法。
【請求項１７】
電子機器のレセプタクルに接続するためのプラグを備え、
上記プラグは、筒状部材の一の方向の内面に上記プラグの挿入方向に延びた第１の幅の第１の電源端子と、上記筒状部材の上記一の方向とは直交する他の方向の内面に上記プラグの挿入方向に延びた上記第１の幅よりも大きな幅の上記第１の電源端子より電流容量の大きな第２の電源端子を有し、
上記第２の電源端子は、上記プラグの挿入方向と直交する方向の断面形状がコの字形状とされている
ケーブル。
【発明の詳細な説明】
【技術分野】
【０００１】
本技術は、電子機器、電子機器における電源受領方法、電子機器における電源供給方法およびケーブルに関し、特に、コンテンツをレセプタクルを通じて外部機器に送信する電子機器などに関する。
【背景技術】
【０００２】
近年、ＣＥ（Consumer Electronics）機器をつなぐ、デジタルインタフェースとして、ＨＤＭＩ(High Definition Multimedia Interface)が幅広く用いられており、業界でのデファクトスタンダードとなっている。現行のＨＤＭＩ規格では、ソース（Source）機器からシンク（Sink）機器に電源ラインを通じて電源を供給することが可能とされている（例えば、特許文献１参照）。現行のＨＤＭＩ規格にて規定されている電源供給(+5V端子)はソース機器からシンク機器に対して５Ｖ、５５ｍＡまでとされており、主たる目的はスタンバイ状態にあるシンク機器のＥＤＩＤ ＲＯＭのＤＤＣラインによる読出しを想定している。
【先行技術文献】
【特許文献】
【０００３】
【特許文献１】特開２０１１−２０５１６４号公報
【発明の概要】
【発明が解決しようとする課題】
【０００４】
近年、ＨＤＭＩソース機器として、スマートフォーンやデジタルカメラ等、モバイル機器が多数登場してきており、それに対応するためにタイプＤ（Type D）コネクタという小外形のコネクタも定義されている。ところが、電源供給機能には変更が入っておらず、他規格では実現されているステーショナル機器からモバイル機器への電源供給対応が求められている。【０００５】
タイプＤコネクタは、小外形コネクタを実現しているため、大電流に対応するピン幅を満たしていない。そのため、現状のコネクタを用いた電源供給対応は非常に困難である。なお、ＨＤＭＩは広くデジタルインタフェースとして普及しているため、既存コネクタとの互換性確保は必須要件である。【０００６】
本技術の目的は、インタフェース機能の拡張を図ることにある。
【課題を解決するための手段】
【０００７】
本技術の概念は、
外部機器に接続するためのケーブルのプラグを接続するレセプタクルを備え、
上記レセプタクルは、第１の電源端子と、該第１の電源端子より電流容量の大きな第２の電源端子を有する
電子機器にある。【０００８】
本技術においては、外部機器に接続するためのケーブルのプラグを接続するレセプタクルが備えられている。このレセプタクルには、第１の電源端子と第２の電源端子が配置されている。この場合、第２の電源端子は、第１の電源端子より電流容量が大きなものとされる。【０００９】
例えば、レセプタクルは、所定の厚みの平板の面上にプラグの挿入方向に延びた第１の幅の第１の電源端子を有すると共に、平板の端面にプラグの挿入方向に延びた第１の幅よりも大きな幅の第２の電源端子を有する、ようにされてもよい。この場合、例えば、レセプタクルは、平板の第２の電源端子を有する端面とは逆の端面にプラグの挿入方向に延びた第１の幅よりも大きな幅も持つ接地端子をさらに有する、ようにされてもよい。このように平板の端面に第２の電源端子などが設けられるため、平板の面上に第１の電源端子を有する既存のレセプタクルのインタフェース機能はそのまま保持される。【００１０】
また、この場合、例えば、第２の電源端子は、少なくとも、端面と直交する方向の厚みがプラグの挿入方向に沿って順次厚くなるように形成されている、ようにされてもよい。この場合、プラグ側の端子との間に遊びを持たせなくともプラグの挿入をスムーズに行うことが可能となり、また、プラグ側の端子との間で大きな接触面積を確保することが可能となる。【００１１】
また、この場合、例えば、第２の電源端子は、端面と共に、この端面に連続する２つの平板面の一部を覆うように形成されている、ようにされてもよい。この場合、第２の電源端子の断面形状はコの字形状となり、プラグ側の端子を対応した形状とすることで、その端子との間でより大きな接触面積を確保することが可能となる。【００１２】
また、例えば、レセプタクルの第２の電源端子を通じて外部機器から電源を受領する電源受領部をさらに備える、ようにされてもよい。これにより、レセプタクルの第２の電源端子を通じて外部機器から電源を受領して利用することが可能となる。この場合、例えば、外部機器の電源供給能力の有無を判別する能力判別部と、能力判別部で電源供給能力があると判別されるとき、外部機器に電源供給を要求する電源供給要求部をさらに備え、電源受領部は、電源供給要求部からの電源供給要求に応じて外部機器から供給される電源をレセプタクルの第２の電源端子を通じて受領する、ようにされてもよい。【００１３】
また、例えば、レセプタクルの第２の電源端子を通じて外部機器に電源を供給する電源供給部をさらに備える、ようにされてもよい。これにより、レセプタクルの第２の電源端子を通じて外部機器に電源を供給することが可能となる。この場合、例えば、外部機器からの電源供給要求があるとき、外部機器への電源供給が可能か否かを判別する可否判別部をさらに備え、電源供給部は、可否判別部で電源供給が可能であると判別されるとき、レセプタクルの第２の電源端子を通じて外部機器に電源を供給する、ようにされてもよい。例えば、可否判別部は、レセプタクルの第２の電源端子に電源を供給した状態で流れる電流値に基づいて、外部機器への電源供給が可能か否かを判別する、ようにされてもよい。【００１４】
また、例えば、外部機器にレセプタクルを通じてコンテンツを送信する送信部をさらに備える、ようにされてもよい。この場合、例えば、送信部は、外部機器に、コンテンツを、差動信号により、レセプタクルを通じて送信する、ようにされてもよい。例えば、送信部は、ＨＤＭＩ送信部である、ようにされてもよい。【００１５】
また、例えば、外部機器からレセプタクルを通じてコンテンツを受信する受信部をさらに備える、ようにされてもよい。この場合、例えば、受信部は、外部機器から、コンテンツを、差動信号により、レセプタクルを通じて受信する、ようにされてもよい。例えば、受信部は、ＨＤＭＩ受信部である、ようにされてもよい。【００１６】
このように本技術においては、レセプタクルが第１の電源端子の他に、この第１の電源端子より電流容量の大きな第２の電源端子を有するものであり、より大きな電流の電源を、外部機器から受領し、あるいは外部機器に供給することが可能となり、インタフェース機能の拡張を図ることが可能となる。【００１７】
また、本技術の他の概念は、
コンテンツを伝送する信号ラインと共に、第１の電源ラインと、該第１の電源ラインより電流容量の大きな第２の電源ラインを備える
ケーブルにある。【００１８】
本技術においては、第１の電源ラインの他に、第１の電源ラインより電流容量の大きな第２の電源ラインを備えるものであり、本技術のケーブルを用いることで、より大きな電流の電源の受領あるいは供給を行うことが可能となる。【００１９】
また、本技術の他の概念は、
外部機器に接続するためのケーブルのプラグを接続するレセプタクルを備え、
上記レセプタクルは、
平板の面上にプラグの挿入方向に延びた所定数の第１の信号端子を有すると共に、上記平板の一方または双方の端面に上記プラグの挿入方向に延びた第２の信号端子を有する
電子機器にある。【００２０】
本技術においては、外部機器に接続するためのケーブルのプラグを接続するレセプタクルが備えられている。このレセプタクルには、平板の面上にプラグの挿入方向に延びた所定数の第１の信号端子が設けられ、平板の一方または双方の端面にプラグの挿入方向に延びた第２の信号端子が設けられている。そのため、平板の面上に第１の信号端子のみが設けられた既存のレセプタクルのインタフェース機能をそのまま保持しつつ、インタフェース機能の拡張を図ることが可能となる。
【発明の効果】
【００２１】
本技術によれば、インタフェース機能の拡張を図ることが可能となる。なお、本明細書に記載された効果はあくまで例示であって限定されるものではなく、また付加的な効果があってもよい。
【図面の簡単な説明】
【００２２】
【図１】実施の形態としてのＡＶシステムの構成例を示すブロック図である。
【図２】ソース機器のデータ送信部、 電源受領部と、シンク機器のデータ受信部、電源供給部の構成例を示す図である。
【図３】ＴＭＤＳ伝送データの構造例を示す図である。
【図４】現行ＨＤＭＩおよび新ＨＤＭＩのピンアサイメントを比較して示す図である。
【図５】タイプＤ（Type D）コネクタに対応したレセプタクルの構成例を概略的に示す図である。
【図６】タイプＤ（Type D）コネクタに対応したプラグの構成例を概略的に示す図である。
【図７】タイプＤ（Type D）コネクタに対応したレセプタクルの他の構成例を概略的に示す図である。
【図８】タイプＤ（Type D）コネクタに対応したプラグの他の構成例を概略的に示す図である。
【図９】現行ＨＤＭＩケーブルの構造例を示す図である。
【図１０】新ＨＤＭＩケーブルの構造例を示す図である。
【図１１】電源供給までのプロセスを説明するための図である。
【図１２】ソース機器の制御部における電源受領までの処理手順の一例を示すフローチャートである。
【図１３】シンク機器の制御部における電源供給までの処理手順の一例を示すフローチャートである。
【発明を実施するための形態】
【００２３】
以下、発明を実施するための形態（以下、「実施の形態」とする）について説明する。なお、説明を以下の順序で行う。
１．実施の形態
２．変形例
【００２４】
＜１．実施の形態＞
［ＡＶシステムの構成例］
図１は、実施の形態としてのＡＶ（Audio and Visual）システム１００の構成例を示している。このＡＶシステム１００は、ソース機器１１０とシンク機器１２０とが接続されて構成されている。ソース機器１１０は、例えば、ゲーム機、ディスクプレーヤ、セットトップボックス、デジタルカメラ、携帯電話などのＡＶソースである。シンク機器１２０は、例えば、テレビ受信機、プロジェクタ等である。ソース機器１１０およびシンク機器１２０は、ケーブル２００を介して接続されている。
【００２５】
ソース機器１１０には、データ送信部（ＨＤＭＩ送信部）１１２および電源受領部１１５が接続された、コネクタを構成するレセプタクル１１１が設けられている。シンク機器１２０には、データ受信部（ＨＤＭＩ受信部）１２２および電源供給部１２５が接続された、コネクタを構成するレセプタクル１２１が設けられている。
【００２６】
また、ケーブル２００の一端にはコネクタを構成するプラグ２０１が設けられ、その他端にはコネクタを構成するプラグ２０２が設けられている。ケーブル２００の一端のプラグ２０１はソース機器１１０のレセプタクル１１１に接続され、このケーブル２００の他端のプラグ２０２はシンク機器１２０のレセプタクル１２１に接続されている。
【００２７】
ソース機器１１０は、制御部１１３を有している。この制御部１１３は、ソース機器１１０の全体を制御する。制御部１１３は、シンク機器１２０からＣＥＣあるいはＤＤＣなどのラインを通じてプロファイルデータを取得し、このプロファイルデータを参照してシンク機器１２０の電源供給能力を判別する。そして、制御部１１３は、電源供給能力があると判別するとき、ＣＥＣあるいはＤＤＣなどのラインを通じてシンク機器１２０に、電源の供給を要求する。電源受領部１１５は、レセプタクル１１１を通じて、シンク機器１２０から供給される電源を受領する。
【００２８】
シンク機器１２０は、制御部１２３を有している。この制御部１２３は、シンク機器１２０の全体を制御する。制御部１２３は、ソース機器１１０から電源供給要求があるとき、ソース機器１１０への電源供給が可能か判別する。制御部１２３における電源供給が可能であるとの判別に基づいて、電源供給部１２５は、レセプタクル１２１を通じて、ソース機器１１０に電源を供給する。
【００２９】
［データ送信部、データ受信部の構成例］
図２は、図１のＡＶシステム１００における、ソース機器１１０のデータ送信部１１２と、シンク機器１２０のデータ受信部１２２の構成例を示している。データ送信部１１２は、有効画像区間（「アクティブビデオ区間」ともいう）において、非圧縮の１画面分のビデオデータに対応する差動信号を、複数チャネルで、データ受信部１２２に一方向に送信する。
【００３０】
ここで、有効画像区間は、一の垂直同期信号から次の垂直同期信号までの区間から、水平帰線区間及び垂直帰線区間を除いた区間である。また、データ送信部１１２は、水平帰線区間または垂直帰線区間において、少なくともビデオデータに付随するオーディオデータや制御データ、その他の補助データ等に対応する差動信号を、複数のチャネルで、データ受信部１２２に一方向に送信する。
【００３１】
データ受信部１２２は、アクティブビデオ区間において、複数のチャネルで、データ送信部１１２から一方向に送信されてくる、ビデオデータに対応する差動信号を受信する。また、このデータ受信部１２２は、水平帰線区間または垂直帰線区間において、複数のチャネルで、データ送信部１１２から一方向に送信されてくる、オーディオデータや制御データに対応する差動信号を受信する。
【００３２】
データ送信部１１２とデータ受信部１２２とからなるＨＤＭＩシステムの伝送チャネルには、以下のものがある。まず、伝送チャネルとして、差動信号チャネル（ＴＭＤＳチャネル、ＴＭＤＳクロックチャネル）がある。
【００３３】
すなわち、データ送信部１１２からデータ受信部１２２に対して、ビデオデータおよびオーディオデータを、ピクセルクロックに同期して、一方向にシリアル伝送するための伝送チャネルとしての、３つのＴＭＤＳチャネル＃０〜＃２がある。また、ＴＭＤＳクロックを伝送する伝送チャネルとしての、ＴＭＤＳクロックチャネルがある。
【００３４】
データ送信部１１２のＨＤＭＩトランスミッタ８１は、例えば、非圧縮のビデオデータを対応する差動信号に変換し、３つのＴＭＤＳチャネル＃０，＃１，＃２で、ケーブル２００を介して接続されているデータ受信部１２２に、一方向にシリアル伝送する。また、ＨＤＭＩトランスミッタ８１は、非圧縮のビデオデータに付随するオーディオデータ、必要な制御データその他の補助データ等を、対応する差動信号に変換し、３つのＴＭＤＳチャネル＃０，＃１，＃２で、データ受信部１２２に、一方向にシリアル伝送する。
【００３５】
さらに、ＨＤＭＩトランスミッタ８１は、３つのＴＭＤＳチャネル＃０，＃１，＃２で送信するビデオデータに同期したＴＭＤＳクロックを、ＴＭＤＳクロックチャネルで、データ送信部１２２に送信する。ここで、１つのＴＭＤＳチャネル＃ｉ（ｉ＝０，１，２）では、ＴＭＤＳクロックの１クロックの間に、１０ビットのビデオデータが送信される。
【００３６】
データ受信部１２２のＨＤＭＩレシーバ８２は、ＴＭＤＳチャネル＃０，＃１，＃２で、データ送信部１１２から一方向に送信されてくる、ビデオデータに対応する差動信号と、オーディオデータや制御データに対応する差動信号を受信する。この場合、データ送信部１１２からＴＭＤＳクロックチャネルで送信されてくるピクセルクロック（ＴＭＤＳクロック）に同期して受信する。
【００３７】
ＨＤＭＩシステムの伝送チャネルには、上述のＴＭＤＳチャネル、ＴＭＤＳクロックチャネルの他に、ＤＤＣ（Display Data Channel）やＣＥＣラインと呼ばれる伝送チャネルがある。ＤＤＣは、ケーブル２００に含まれる２本の信号線からなる。ＤＤＣは、データ送信部１１２が、データ受信部１２２から、Ｅ−ＥＤＩＤ（Enhanced Extended Display Identification Data）を読み出すためなどに使用される。
【００３８】
すなわち、データ受信部１２２は、ＨＤＭＩレシーバ８２の他に、自身の能力（Configuration/capability）に関する能力情報であるＥ−ＥＤＩＤを記憶している、ＥＤＩＤ  ＲＯＭ(ＥＥＰＲＯＭ)を有している。データ送信部１１２は、例えば、制御部１１３からの要求に応じて、ケーブル２００を介して接続されているデータ受信部１２２から、Ｅ−ＥＤＩＤを、ＤＤＣを介して読み出す。
【００３９】
データ送信部１１２は、読み出したＥ−ＥＤＩＤを制御部１１３に送る。制御部１１３は、このＥ−ＥＤＩＤを、図示しないフラッシュＲＯＭあるいはＤＲＡＭに格納する。制御部１１３は、Ｅ−ＥＤＩＤに基づき、データ受信部１２２の能力の設定を認識できる。ＣＥＣラインは、ケーブル２００に含まれる１本の信号線からなり、データ送信部１１２とデータ受信部１２２との間で、制御用のデータの双方向通信を行うために用いられる。
【００４０】
また、ケーブル２００には、ＨＰＤ(Hot Plug Detect)と呼ばれるピンに接続されるライン（ＨＰＤライン）が含まれている。ソース機器は、このＨＰＤラインを利用して、シンク機器の接続を検出することができる。また、ケーブル２００には、ソース機器からシンク機器に電源を供給するために用いられる第１の電源ライン（＋５Ｖ Power Line）が含まれている。さらに、ケーブル２００には、ユーティリティラインが含まれている。
【００４１】
また、ケーブル２００には、シンク機器１２０からソース機器１１０に電源を供給するために用いられる第２の電源ライン（ＶＣＣライン）が含まれている。この第２の電源ラインは、上述の第１の電源ラインより電流容量が大きくされている。
【００４２】
図３は、ＴＭＤＳ伝送データの構造例を示している。この図３は、ＴＭＤＳチャネル＃０〜＃２において、横×縦がＢピクセル×Ａラインの画像データが伝送される場合の、各種の伝送データの区間を示している。ＨＤＭＩのＴＭＤＳチャネルで伝送データが伝送されるビデオフィールド（Video Field）には、伝送データの種類に応じて、３種類の区間が存在する。この３種類の区間は、ビデオデータ区間（Video Data period）、データアイランド区間（Data Island period）、およびコントロール区間（Control period）である。
【００４３】
ここで、ビデオフィールド区間は、ある垂直同期信号の立ち上がりエッジ（active edge）から次の垂直同期信号の立ち上がりエッジまでの区間である。このビデオフィールド区間は、水平ブランキング期間（horizontal blanking）、垂直ブランキング期間（vertical blanking）、並びに、アクティブビデオ区間（Active Video）に分けられる。ビデオフィールド区間から水平ブランキング期間および垂直ブランキング期間を除いた区間であるビデオデータ区間は、アクティブビデオ区間に割り当てられる。このビデオデータ区間では、非圧縮の１画面分の画像データを構成するＢピクセル（画素）×Ａライン分の有効画素（Active pixel）のデータが伝送される。
【００４４】
データアイランド区間およびコントロール区間は、水平ブランキング期間および垂直ブランキング期間に割り当てられる。このデータアイランド区間およびコントロール区間では、補助データ（Auxiliary data）が伝送される。すなわち、データアイランド区間は、水平ブランキング期間と垂直ブランキング期間の一部分に割り当てられている。このデータアイランド区間では、補助データのうち、例えば、オーディオデータのパケットや制御パケット等が伝送される。コントロール区間は、水平ブランキング期間と垂直ブランキング期間の他の部分に割り当てられている。このコントロール区間では、垂直同期信号および水平同期信号等が伝送される。
【００４５】
図４（ａ）は、ソース機器１１０のレセプタクル１１１およびシンク機器１２０のレセプタクル１２１のピンアサイメント（以下、「新ＨＤＭＩのピンアサインメント」という）を示している。
【００４６】
ＴＭＤＳチャネル＃ｉ（ｉ＝０，１，２）の差動信号であるＴＭＤＳ  Ｄａｔａ＃ｉ＋とＴＭＤＳ  Ｄａｔａ＃ｉ−は、差動ラインである２本のラインにより伝送される。ピン（ピン番号が７，４，１のピン）はＴＭＤＳ  Ｄａｔａ＃ｉ＋に割り当てられ、ピン（ピン番号が９，６，３のピン）はＴＭＤＳ  Ｄａｔａ＃ｉ−に割り当てられている。
【００４７】
ＴＭＤＳクロックチャネルの差動信号であるＴＭＤＳ  Ｃｌｏｃｋ＋とＴＭＤＳ  Ｃｌｏｃｋ−は差動ラインである２本のラインにより伝送される。ピン番号が１０のピンはＴＭＤＳ  Ｃｌｏｃｋ＋に割り当てられ、ピン番号が１２のピンはＴＭＤＳ  Ｃｌｏｃｋ−に割り当てられている。
【００４８】
また、制御用のデータであるＣＥＣ信号は、ＣＥＣラインにより伝送される。ピン番号が１３であるピンは、ＣＥＣ信号に割り当てられている。また、Ｅ−ＥＤＩＤ等の読出しに使われるＳＤＡ(Serial Data)信号は、ＳＤＡラインにより伝送される。ピン番号が１６であるピンは、ＳＤＡ信号に割り当てられている。また、ＳＤＡ信号の送受信時の同期に用いられるクロック信号であるＳＣＬ(Serial Clock)信号は、ＳＣＬラインにより伝送される。ピン番号が１５であるピンは、ＳＣＬに割り当てられている。なお、上述のＤＤＣラインは、ＳＤＡラインおよびＳＣＬラインにより構成される。
【００４９】
また、ピン番号が１９であるピンは、ＨＰＤ（Hot Plug Detect）に割り当てられている。また、ピン番号が１４であるピンは、ユーティリティに割り当てられている。また、ピン番号が１７であるピンは、ＤＤＣ／ＣＥＣ ＧＮＤに割り当てられている。さらに、ピン番号が１８であるピンは、第１の電源端子（＋５Ｖ Power）に割り当てられている。また、ピン番号が２０であるピンは、上述の第１の電源よりも電流容量の大きな第２の電源端子（ＶＣＣ）に割り当てられている。また、ピン番号が２１であるピンは、接地リターン端子（ＧＮＤ）に割り当てられている。
【００５０】
図４（ｂ）は、現行ＨＤＭＩのピンアサイメントを、上述の新ＨＤＭＩのピンアサインメントと比較するために、示している。新ＨＤＭＩのピンアサインメントにおけるピン番号が１−１９のピンのピンアサインメントは、現行ＨＤＭＩのピンアサイメントと全く同じである。つまり、新ＨＤＭＩのピンアサインメントは、過去互換を完全に保った状態となっている。
【００５１】
図５は、タイプＤ（Type D）コネクタに対応したレセプタクル１３０（１１１，１２１）の構成例を概略的に示している。図５（ｂ）は、正面図であり、図５（ａ）は、図５（ｂ）のＡ−Ａ線で切断した上面図を示している。レセプタクル１３０は、外筐１３１の内部に、プラグの挿入方向に平行な面を有する平板１３２が配置されている。この平板１３２の面上に、プラグの挿入方向に延びた端子（ピン）が配置されている。また、この平板１３２の端面に、プラグの挿入方向に延びた電源端子（ＶＣＣ）および接地リターン端子（ＧＮＤ）が配置されている。
【００５２】
電源端子（ＶＣＣ）および接地リターン端子（ＧＮＤ）の電流容量は、平板１３２の面上に配置された端子の電流容量より大きくされている。すなわち、電源端子（ＶＣＣ）および接地リターン端子（ＧＮＤ）の幅ｄ１は、平板１３２の面上に配置された端子の幅ｄ２より大きくされている。例えば、ｄ２＝０．２ｍｍとされるのに対して、例えば、ｄ１＝０．６ｍｍとされる。
【００５３】
図６は、タイプＤ（Type D）コネクタに対応したプラグ２３０（２０１，２０２）の構成例を概略的に示している。図６（ｂ）は、正面図であり、図６（ａ）は、図６（ｂ）のＢ−Ｂ線で一部を切断した上面図を示している。このプラグ２３０は、図５に示すレセプタクル１３０に対応したものである。プラグ２３０は、外筐２３１の内部に、レセプタクル１３０の平板１３２を覆う筒状部材２３２が配置されている。
【００５４】
この筒状部材２３２の内部に、上述のレセプタクル１３０の平板１３２の面上に配置されている端子（ピン）に対応して、同一方向に延びる端子（ピン）が配置されている。また、この筒状部材２３２の内部に、上述のレセプタクル１３０の平板１３２の端面に配置されている電源端子（ＶＣＣ）および接地リターン端子（ＧＮＤ）に対応して、同一方向に延びる電源端子（ＶＣＣ）および接地リターン端子（ＧＮＤ）が配置されている。プラグ２３０の各端子（ピン）は、プラグ２３０がレセプタクル１３０に装着される際に、レセプタクル１３０の各端子（ピン）に圧接されるよう、ばね部材で構成されている。
【００５５】
図７は、タイプＤ（Type D）コネクタに対応したレセプタクル１３０Ａ（１１１，１２１）の他の構成例を概略的に示している。図７（ｂ）は、正面図であり、図７（ａ）は、図７（ｂ）のＡ−Ａ線で切断した上面図を示している。このレセプタクル１３０Ａは、平板１３２の端面に配置される、プラグの挿入方向に延びた電源端子（ＶＣＣ）および接地リターン端子（ＧＮＤ）の形状が異なることを除き、図５に示すレセプタクル１３０と同様の構成となっている。
【００５６】
電源端子（ＶＣＣ）および接地リターン端子（ＧＮＤ）は、平板１３２の端面と直行する方向の厚みがプラグの挿入方向に沿って順次厚くなるように形成されている。つまり、電源端子（ＶＣＣ）および接地リターン端子（ＧＮＤ）の平板１３２の端面に接した側とは反対側の面がプラグの挿入方向に対して傾斜面に形成されている。このような傾斜面に形成されることで、プラグ側の端子との間に遊びを持たせなくともプラグの挿入をスムーズに行うことが可能となり、また、プラグ側の端子との間で大きな接触面積を確保することが可能となる。
【００５７】
また、電源端子（ＶＣＣ）および接地リターン端子（ＧＮＤ）は、平板１３２の端面と共に、この端面に連続する２つの平板面の一部を覆うように形成されている。つまり、電源端子（ＶＣＣ）および接地リターン端子（ＧＮＤ）は、断面形状が、ほぼコの字形状に形成されている。このようにコの字形状に形成される場合、プラグ側の端子を対応した形状とすることで、その端子との間でより大きな接触面積を確保することが可能となる。
【００５８】
図８は、タイプＤ（Type D）コネクタに対応したプラグ２３０Ａ（２０１，２０２）の構成例を概略的に示している。図８（ｂ）は、正面図であり、図８（ａ）は、図８（ｂ）のＢ−Ｂ線で一部を切断した上面図を示している。このプラグ２３０Ａは、図７に示すレセプタクル１３０Ａに対応したものである。プラグ２３０Ａは、筒状部材２３２の内部に配置される、電源端子（ＶＣＣ）および接地リターン端子（ＧＮＤ）の形状が異なることを除き、図６に示すプラグ２３０と同様の構成となっている。
【００５９】
電源端子（ＶＣＣ）および接地リターン端子（ＧＮＤ）は、レセプタクル１３０Ａの電源端子（ＶＣＣ）および接地リターン端子（ＧＮＤ）の平板１３２の端面と直交する側の面に対抗する面が、破線図示するように、傾斜面に形成されている。このような傾斜面に形成されることで、レセプタクル側の端子との間に遊びを持たせなくともプラグの挿入をスムーズに行うことが可能となり、また、プラグ側の端子との間で大きな接触面積を確保することが可能となる。
【００６０】
また、電源端子（ＶＣＣ）および接地リターン端子（ＧＮＤ）は、レセプタクル１３０Ａの電源端子（ＶＣＣ）および接地リターン端子（ＧＮＤ）を覆うように、断面形状が、ほぼコの字形状に形成されている。このようにコの字形状に形成されることで、レセプタクルの端子との間でより大きな接触面積を確保することが可能となる。
【００６１】
図９（ａ）は、現行ＨＤＭＩケーブルの構造例を示している。この現行ＨＤＭＩケーブルは、３つのデータラインペアがそれぞれ特性を得るためにシールドツイストペア部（差動伝送ライン）として構成されている。また、クロックラインペアも、シールドツイストペア部として構成されている。図９（ｂ）は、シールドツイストペア部の構造例を示している。このシールドツイストペア部は、２本の電線３と、ドレイン線４とが、シールド部材５で覆われた構造となっている。なお、電線３は、芯線１が被覆部２により覆われて構成されている。
【００６２】
現行ＨＤＭＩケーブルでは、データおよびクロックの各シールドツイストペア部を構成するドレイン線は、このケーブルの端部に取りつけられたプラグのピンに接続されている。この場合、各ドレイン線は、上述したレセプタクル（現行ＨＤＭＩのピン配置）の各シールド端子（ピン番号が２，５，８，１１のシールド用ピン）に対応したピン（端子）に接続されている。これらのシールド端子は、例えば、ソース機器１１０およびシンク機器１２０において接地される。これにより、データおよびクロックの各シールドツイストペア部を構成するドレイン線は、プラグがレセプタクル（現行ＨＤＭＩのピン配置）に接続された状態では接地された状態となる。
【００６３】
図１０は、ケーブル２００として使用される新ＨＤＭＩケーブルの構造例を示している。この新ＨＤＭＩケーブルは、現行ＨＤＭＩケーブルと同様に、３つのデータラインペアとクロックラインペアがそれぞれ特性を得るためにシールドツイストペア部（差動伝送ライン）として構成されている。この新ＨＤＭＩケーブルは、現行ＨＤＭＩケーブルと同じラインの他に、電源ライン（ＶＣＣ）および接地リターンライン（ＧＮＤ）の２本のラインが追加されている。これらのラインの径は既存の電源ライン（＋５Ｖ）の径より大きくされ、従って、これらのラインの電流容量は既存の電源ライン（＋５Ｖ）より大きくされている。
【００６４】
従来のレセプタクルの、本技術におけるレセプタクル１１１，１２１の電源端子（ＶＣＣ）および接地リターン端子（ＧＮＤ）が配置される場所は誘電体(プラスチック、セラミックなど)で構成されている。そのため、従来のレセプタクルに本技術におけるプラグ２０１，２０２が挿入された場合、そのプラグ内の電源端子（ＶＣＣ）および接地リターン端子（ＧＮＤ）は絶縁状態になる。逆に、本技術におけるレセプタクル１１１，１２１に従来のプラグが挿入された場合も、レセプタクル１１１，１２１内の電源端子（ＶＣＣ）および接地リターン端子（ＧＮＤ）は絶縁状態になる。
【００６５】
上述したように、シンク機器１２０の制御部１２３は、ソース機器１１０から電源供給要求があるとき、ソース機器１１０への電源供給が可能か判別し、可能であるとの判別に基づいてソース機器１１０に電源を供給する。図１１を使用して、電源供給までのプロセスを説明する。
【００６６】
ソース機器１１０およびシンク機器１２０は、自身のパワープロファイル(電源を供給可能か、供給可能ならば何ワット供給可能かなど)を示すプロファイルデータを持っている。ソース機器１１０およびシンク機器１２０は、例えば、ＣＥＣやＤＤＣなどの通信機能を用いて双方で参照することにより、対向機器の能力を知ることができる。
【００６７】
まず、電源供給をして欲しいソース機器１１０は、電源供給が可能なシンク機器１２０に対して、電源供給を要求する。電源供給能力を持つシンク機器１２０は、ソース機器１１０から電源供給要求を受領したら、図中のスイッチをオフである「２」から小電力供給モードである「３」に切り替える。ここで、図中の電流計にてその系にて流れる電流が観測される。
【００６８】
この電流計の観測により、ある程度の電流値を測定できた場合、機器間のケーブルは、本技術に対応しているケーブル２００である(ＶＣＣ-ＧＮＤ間が導通している)と考えられる。逆に、電流値が０であった場合はケーブル内で本系が絶縁されている(つまり断線している)と考えられ、ケーブルが対応していないと考えられる。
【００６９】
制御部１２３は、ケーブルが本技術に非対応であることがわかった場合、電源供給を要求してきたソース機器１１０に対してケーブルが非対応である旨を通知し、本機能は有効にはならずに終了する。また、制御部１２３は、ケーブルが電源供給に対応していることがわかった場合、図中のスイッチを通常電源供給状態である「１」へ切り替え、電源供給を開始する。
【００７０】
制御部１２３は、電源供給中に電流計がある程度の値(例えば５Ａ位)を上回るような大電流が流れていることを観測した場合、系のどこかで不具合による短絡が起こっている可能性があるため、即座に電源供給を停止し、つまり、スイッチをオフ状態の「２」へ切り替え、電源供給を停止した旨を、ソース機器１１０へ通知してもよい。さらに電源供給中にケーブルが抜かれた場合、或いは電流計が０を示した場合はもはや電源供給の必要性はなくなったのでスイッチをオフ状態の２へ切り替え、電源供給を中止してもよい。
【００７１】
図１２のフローチャートは、ソース機器１１０の制御部１１３における電源受領までの処理手順の一例を示している。制御部１１３は、ステップＳＴ１において、処理を開始する。その後、制御部１１３は、ステップＳＴ２において、シンク機器１２０のプロファイルデータを読み出す。
【００７２】
次に、制御部１１３は、シンク機器１２０が電源供給対応か否かを判断する。シンク機器１２０が電源供給に対応しているとき、制御部１１３は、ステップＳＴ４において、シンク機器１２０に、電源供給要求を送信する。次に、制御部１１３は、ステップＳＴ５において、要求してから一定時間が経過したか否か、つまりタイムアウトか否かを判断する。
【００７３】
タイムアウトでないとき、制御部１１３は、ステップＳＴ６において、シンク機器１２０からの電源供給が開始されたか否かを判断する。制御部１１３は、この判断を、電流計の観測値に基づいて行うことができる。電源供給が開始されたとき、制御部１１３は、ステップＳＴ７において、処理を終了する。一方、電源供給が開始されていないとき、制御部１１３は、ステップＳＴ５に戻って、上述したと同様の動作を繰り返す。
【００７４】
ステップＳＴ３でシンク機器１２０が電源供給に対応していないとき、あるいはステップＳＴ５でタイムアウトであるとき、制御部１１３は、直ちに、ステップＳＴ７において、処理を終了する。
【００７５】
図１３のフローチャートは、シンク機器１２０の制御部１２３における電源供給までの処理手順の一例を示している。制御部１２３は、ステップＳＴ１１において、処理を開始する。その後、制御部１２３は、ステップＳＴ１２において、ソース機器１１０から電源供給要求を受信したか否か判断する。
【００７６】
電源供給要求を受信したとき、制御部１２３は、ステップＳＴ１３において、省電力供給モードにスイッチする（図１１において、スイッチを「３」に切り替える）。そして、制御部１２３は、ステップＳＴ１４において、電流計で電流値を計測する。
【００７７】
次に、制御部１２３は、ステップＳＴ１５において、電流値が規定値以上か否かを判断する。規定値以上でないとき、制御部１２３は、ステップＳＴ１６において、電流値が０であるか判断する。電流値が０でないとき、制御部１２３は、ステップＳＴ１７において、通常電力供給モードにスイッチする（図１１において、スイッチを「１」に切り替える）。これにより、電源を、ケーブルの電源ライン（ＶＣＣ）を介して、ソース機器１１０に供給する。制御部１２３は、ステップＳＴ１７の処理の後、ステップＳＴ１８において、処理を終了する。
【００７８】
また、ステップＳＴ１５で電流値が規定値以上であるとき、あるいはステップＳＴ１６で電流値が０であるとき、制御部１２３は、直ちに、ステップＳＴ１８に進み、処理を終了する。この場合には、シンク機器１２０からソース機器１１０への電源供給は行われない。
【００７９】
上述したように、図１に示すＡＶシステム１００において、ソース機器１１０のレセプタクル１１１およびシンク機器１２０のレセプタクル１２１が、第１の電源端子（＋５Ｖ Power）の他に、この第１の電源端子より電流容量の大きな第２の電源端子（ＶＣＣ）を有するものである。そのため、ソース機器１１０は、より大きな電流の電源を、シンク機器１２０から受領でき、インタフェース機能の拡張を図ることができる。
【００８０】
また、図１に示すＡＶシステム１００において、ソース機器１１０のレセプタクル１１１およびシンク機器１２０のレセプタクル１２１では、平板１３２の両側の端面に電源端子（ＶＣＣ）および接地リターン端子（ＧＮＤ）が設けられるものであり、平板１３２の面上に第１の電源端子（＋５Ｖ Power）を有する既存のレセプタクルのインタフェース機能をそのまま保持できる。
【００８１】
また、平板１３２の両側の端面に電源端子（ＶＣＣ）および接地リターン端子（ＧＮＤ）が設けられることから、他端子との干渉も回避することが容易である。さらに、平板１３２の両側の端面に電源端子（ＶＣＣ）および接地リターン端子（ＧＮＤ）が設けられることから、他端子で高速信号伝送を行っている場合は、マイクロストリップ構造に近くなり、信号の安定性を高めることができる。
【００８２】
＜２．変形例＞
なお、上述実施の形態においては、ソース機器１１０が電源受領部１１５を備え、シンク機器１２０が電源供給部１２５を備え、シンク機器１２０からソース機器１１０に電源を供給する例を示した。しかし、本技術は、シンク機器１２０が電源受領部を備え、ソース機器１１０が電源供給部を備え、ソース機器１１０からシンク機器１２０に電源を供給する構成にも同様に適用できる。
【００８３】
また、上述実施の形態においては、ＨＤＭＩのレセプタクル１１１，１２１とプラグ２０１，２０２に、電源端子（ＶＣＣ）および接地リターン端子（ＧＮＤ）を新たに追加する例を示した。しかし、本技術は、この電源端子（ＶＣＣ）および接地リターン端子（ＧＮＤ）の部分を信号端子として用いる構成にも同様に適用できる。
【００８４】
また、上述実施の形態においては、本技術をタイプＤ（Type D）コネクタに適用した例を示したが、本技術は、他のタイプＡ（Type A）およびタイプＣ（Type C）のコネクタにも同様に適用できる。
【００８５】
また、上述実施の形態においては、ＨＤＭＩのコネクタに本技術を適用する例を示した。しかし、本技術は、その他の同様のコネクタ、例えばＵＳＢのコネクタなどにも、同様に適用できる。
【００８６】
また、本技術は、以下のような構成を取ることもできる。
（１）外部機器に接続するためのケーブルのプラグを接続するレセプタクルを備え、
上記レセプタクルは、第１の電源端子と、該第１の電源端子より電流容量の大きな第２の電源端子を有する
電子機器。
（２）上記レセプタクルの上記第２の電源端子を通じて上記外部機器から電源を受領する電源受領部をさらに備える
前記（１）に記載の電子機器。
（３）上記外部機器の電源供給能力の有無を判別する能力判別部と、
上記能力判別部で電源供給能力があると判別されるとき、上記外部機器に電源供給を要求する電源供給要求部をさらに備え、
上記電源受領部は、
上記電源供給要求部からの電源供給要求に応じて上記外部機器から供給される電源を上記レセプタクルの上記第２の電源端子を通じて受領する
前記（２）に記載の電子機器。
（４）上記レセプタクルの上記第２の電源端子を通じて上記外部機器に電源を供給する電源供給部をさらに備える
前記（１）に記載の電子機器。
（５）上記外部機器からの電源供給要求があるとき、上記外部機器への電源供給が可能か否かを判別する可否判別部をさらに備え、
上記電源供給部は、
上記可否判別部で電源供給が可能であると判別されるとき、上記レセプタクルの上記第２の電源端子を通じて上記外部機器に電源を供給する
前記（４）に記載の電子機器。
（６）上記可否判別部は、
上記レセプタクルの上記第２の電源端子に電源を供給した状態で流れる電流値に基づいて、上記外部機器への電源供給が可能か否かを判別する
前記（５）に記載の電子機器。
（７）上記レセプタクルは、
所定の厚みの平板の面上にプラグの挿入方向に延びた第１の幅の上記第１の電源端子を有すると共に、上記平板の端面に上記プラグの挿入方向に延びた上記第１の幅よりも大きな幅の上記第２の電源端子を有する
前記（１）から（６）のいずれかに記載の電子機器。
（８）上記レセプタクルは、
上記平板の上記第２の電源端子を有する端面とは逆の端面に上記プラグの挿入方向に延びた上記第１の幅よりも大きな幅も持つ接地端子をさらに有する
前記（７）に記載の電子機器。
（９）上記第２の電源端子は、少なくとも、上記端面と直交する方向の厚みが上記プラグの挿入方向に沿って順次厚くなるように形成されている
前記（７）または（８）に記載の電子機器。
（１０）上記第２の電源端子は、上記端面と共に、該端面に連続する２つの平板面の一部を覆うように形成されている
前記（７）から（９）のいずれかに記載の電子機器。
（１１）上記外部機器に上記レセプタクルを通じてコンテンツを送信する送信部をさらに備える
前記（１）から（１０）のいずれかに記載の電子機器。
（１２）上記送信部は、
上記外部機器に、上記コンテンツを、差動信号により、上記レセプタクルを通じて送信する
前記（１１）に記載の電子機器。
（１３）上記送信部は、ＨＤＭＩ送信部である
前記（１２）に記載の電子機器。
（１４）上記外部機器から上記レセプタクルを通じてコンテンツを受信する受信部をさらに備える
前記（１）から（１０）のいずれかに記載の電子機器。
（１５）上記受信部は、
上記外部機器から、上記コンテンツを、差動信号により、上記レセプタクルを通じて受信する
前記（１４）に記載の電子機器。
（１６）上記受信部は、ＨＤＭＩ受信部である
前記（１５）に記載の電子機器。
（１７）外部機器に接続するためのケーブルのプラグを接続するレセプタクルを備え、
上記レセプタクルは、第１の電源端子と、該第１の電源端子より電流容量の大きな第２の電源端子を有する電子機器における電源受領方法であって、
上記外部機器の電源供給能力の有無を判別する能力判別ステップと、
上記能力判別ステップで電源供給能力があると判別されるとき、上記外部機器に電源供給を要求する電源供給要求ステップと、
上記電源供給要求ステップによる電源供給要求に応じて上記外部機器から供給される電源を上記レセプタクルの上記第２の電源端子を通じて受領する電源受領ステップを有する
電子機器における電源受領方法。
（１８）外部機器に接続するためのケーブルのプラグを接続するレセプタクルを備え、
上記レセプタクルは、第１の電源端子と、該第１の電源端子より電流容量の大きな第２の電源端子を有する電子機器における電源供給方法であって、
上記外部機器から電源供給要求を受信する電源供給要求受信ステップと、
上記電源供給要求受信ステップで電源供給要求が受信されるとき、上記外部機器への電源供給が可能か否かを判別する可否判別ステップと、
上記可否判別ステップで電源供給が可能であると判別されるとき、上記レセプタクルの上記第２の電源端子を通じて上記外部機器に電源を供給する電源供給ステップを有する
電子機器における電源供給方法。
（１９）コンテンツを伝送する信号ラインと共に、第１の電源ラインと、該第１の電源ラインより電流容量の大きな第２の電源ラインを備える
ケーブル。
（２０）外部機器に接続するためのケーブルのプラグを接続するレセプタクルを備え、
上記レセプタクルは、
平板の面上にプラグの挿入方向に延びた所定数の第１の信号端子を有すると共に、上記平板の一方または双方の端面に上記プラグの挿入方向に延びた第２の信号端子を有する
電子機器。
【符号の説明】
【００８７】
８１・・・ＨＤＭＩトランスミッタ
８２・・・ＨＤＭＩレシーバ
１００・・・ＡＶシステム
１１０・・・ソース機器
１１１・・・レセプタクル
１１２・・・データ送信部
１１３・・・制御部
１１５・・・電源受領部
１２０・・・シンク機器
１２１・・・レセプタクル
１２２・・・データ受信部
１２３・・・制御部
１２５・・・電源供給部
１３０，１３０Ａ・・・レセプタクル
１３１・・・外筐
１３２・・・平板
２００・・・ケーブル
２０１，２０２・・・プラグ
２３０，２３０Ａ・・・プラグ
２３１・・・外筐
２３２・・・筒状部材
【図１】
0006485447.tif 000002
【図２】
0006485447.tif 000003
【図３】
0006485447.tif 000004
【図４】
0006485447.tif 000005
【図５】
0006485447.tif 000006
【図６】
0006485447.tif 000007
【図７】
0006485447.tif 000008
【図８】
0006485447.tif 000009
【図９】
0006485447.tif 000010
【図１０】
0006485447.tif 000011
【図１１】
0006485447.tif 000012
【図１２】
0006485447.tif 000013
【図１３】
0006485447.tif 000014